(57)【要約】      （修正有）【課題】同時無線アクセス技術（ＲＡＴ）モードのユーザ機器（ＵＥ）におけるモビリティイベントを管理する方法を提供する。【解決手段】ユーザ機器（ＵＥ）で、第１の無線アクセス技術（ＲＡＴ）から第２のＲＡＴに、ＵＥでの第１の通信サービスの移転をトリガするモビリティイベントを検出する（５００）。ＵＥが、移転に関連する第１のＲＡＴの第２の基地局からモビリティ移転情報を受信する（５０１）。ＵＥが第１のＲＡＴの第２の基地局でアイドル状態にあるとき、第２の通信サービスのための第２のＲＡＴへの第１の基地局に対する既存の接続を決定する（５０２）。ＵＥが第１の基地局の選択のための再選択基準の評価を修正する（５０３）。【選択図】図５
2019193276.tif 000002
【特許請求の範囲】
【請求項１】
ワイヤレス通信の方法であって、
ユーザ機器（ＵＥ）で、第１の無線アクセス技術（ＲＡＴ）から第２のＲＡＴに、前記ＵＥでの第１の通信サービスの移転をトリガするモビリティイベントを検出すること、ここにおいて、前記ＵＥは、前記第１および第２のＲＡＴと同時通信するために構成される、と、
前記ＵＥが、前記移転に関連する前記第１のＲＡＴの第２の基地局からモビリティ移転情報を受信すること、ここにおいて、前記モビリティ移転情報は、複数の近隣する第２のＲＡＴ基地局の測定値のための情報を含む、と、
前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定することと、
前記ＵＥが、前記第１の基地局の選択のための再選択基準の評価を修正することと
を備え、前記修正することは、前記第１の基地局のキャッシュされた測定情報に少なくとも部分的に基づいて前記再選択基準を評価することを備える、
方法。
【請求項２】
前記モビリティ移転情報は、前記第２のＲＡＴにおける通信のために構成されるセルの近隣リストを備える、
請求項１に記載の方法。
【請求項３】
前記キャッシュされた測定情報は、前記第１の基地局に関連する信号強度インジケータを含む、
請求項２に記載の方法。
【請求項４】
前記修正することは、前記第１の基地局が前記近隣リスト中に含まれると決定されたときに実行される、
請求項２に記載の方法。
【請求項５】
前記第１の基地局が前記セルの近隣リスト中に存在し、前記再選択基準が前記キャッシュされた測定情報によって満たされるとき、前記第１の通信サービスのための前記第１の基地局に再選択すること、
前記ＵＥが、前記第１の基地局が前記セルの近隣リスト中に含まれないとき、セル再選択を実行しないと決定すること
のうちの１つをさらに備える、請求項２に記載の方法。
【請求項６】
ワイヤレス通信のために構成される装置であって、
ユーザ機器（ＵＥ）で、第１の無線アクセス技術（ＲＡＴ）から第２のＲＡＴに前記ＵＥでの第１の通信サービスの移転をトリガするモビリティイベントを検出するための手段、ここにおいて、前記ＵＥは、前記第１および第２のＲＡＴと同時通信するために構成される、と、
前記ＵＥが、前記移転に関連する前記第１のＲＡＴの第２の基地局からモビリティ移転情報を受信するための手段、ここにおいて、前記モビリティ移転情報は、複数の近隣する第２のＲＡＴ基地局の測定値のための情報を含む、と、
前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定するための手段と、
前記ＵＥが、前記第１の基地局の選択のための再選択基準の評価を修正するための手段と
を備え、前記修正するための手段は、前記第１の基地局のキャッシュされた測定情報に少なくとも部分的に基づいて前記再選択基準を評価するための手段を備える、
装置。
【請求項７】
前記モビリティ移転情報は、前記第２のＲＡＴにおける通信のために構成されるセルの近隣リストを備える、
請求項６に記載の装置。
【請求項８】
前記キャッシュされた測定情報は、前記第１の基地局に関連する信号強度インジケータを含む、
請求項７に記載の装置。
【請求項９】
前記修正するための手段は、前記第１の基地局が前記近隣リスト中に含まれると決定されたときに実行される、
請求項７に記載の装置。
【請求項１０】
前記第１の基地局が前記セルの近隣リスト中に存在し、前記再選択基準が前記キャッシュされた測定情報によって満たされるとき、前記第１の通信サービスのための前記第１の基地局に再選択するための手段、
前記ＵＥが、前記第１の基地局が前記セルの近隣リスト中に含まれないとき、セル再選択を実行しないと決定するための手段
のうちの１つをさらに備える、請求項７に記載の装置。
【請求項１１】
ワイヤレスネットワークにおけるワイヤレス通信のためのコンピュータプログラム製品であって、
その上に記憶されたプログラムコードを有する非一時的コンピュータ可読媒体を備え、前記プログラムコードは、
コンピュータに、ユーザ機器（ＵＥ）で、第１の無線アクセス技術（ＲＡＴ）から第２のＲＡＴに前記ＵＥでの第１の通信サービスの移転をトリガするモビリティイベントを検出させるためのプログラムコード、ここにおいて、前記ＵＥは、前記第１および第２のＲＡＴと同時通信するために構成される、と、
前記コンピュータに、前記ＵＥが、前記移転に関連する前記第１のＲＡＴの第２の基地局からモビリティ移転情報を受信させるためのプログラムコード、ここにおいて、前記モビリティ移転情報は、複数の近隣する第２のＲＡＴ基地局の測定値のための情報を含む、と、
前記コンピュータに、前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定させるためのプログラムコードと、
前記コンピュータに、前記ＵＥが、前記第１の基地局の選択のための再選択基準の評価を修正させるためのコードと
を備え、前記コンピュータに修正させるための前記プログラムコードは、前記コンピュータに、前記第１の基地局のキャッシュされた測定情報に少なくとも部分的に基づいて前記再選択基準を評価させるためのプログラムコードを備える、
コンピュータプログラム製品。
【請求項１２】
前記モビリティ移転情報は、前記第２のＲＡＴにおける通信のために構成されるセルの近隣リストを備える、
請求項１１に記載のコンピュータプログラム製品。
【請求項１３】
前記キャッシュされた測定情報は、前記第１の基地局に関連する信号強度インジケータを含む、
請求項１２に記載のコンピュータプログラム製品。
【請求項１４】
前記コンピュータに修正させるための前記プログラムコードは、前記コンピュータに、前記第１の基地局が前記近隣リスト中に含まれると決定されたときに実行させる、
請求項１２に記載のコンピュータプログラム製品。
【請求項１５】
前記コンピュータに、前記第１の基地局が前記セルの近隣リスト中に存在し、前記再選択基準が前記キャッシュされた測定情報によって満たされるとき、前記第１の通信サービスのための前記第１の基地局に再選択させるためのプログラムコード、
前記コンピュータに、前記ＵＥが、前記第１の基地局が前記セルの近隣リスト中に含まれないとき、セル再選択を実行しないと決定させるためのプログラムコード
のうちの１つをさらに備える、請求項１２に記載のコンピュータプログラム製品。
【請求項１６】
ワイヤレス通信のために構成される装置であって、
少なくとも１つのプロセッサと、
前記少なくとも１つのプロセッサに結合されるメモリと
を備え、前記少なくとも１つのプロセッサは、
ユーザ機器（ＵＥ）で、第１の無線アクセス技術（ＲＡＴ）から第２のＲＡＴに前記ＵＥでの第１の通信サービスの移転をトリガするモビリティイベントを検出すること、ここにおいて、前記ＵＥは、前記第１および第２のＲＡＴと同時通信するために構成される、と、
前記ＵＥが、前記移転に関連する前記第１のＲＡＴの第２の基地局からモビリティ移転情報を受信すること、ここにおいて、前記モビリティ移転情報は、複数の近隣する第２のＲＡＴ基地局の測定値のための情報を含む、と、
前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定することと、
前記ＵＥが、前記第１の基地局の選択のための再選択基準の評価を修正することと
を行うように構成され、前記修正することを行う前記少なくとも１つのプロセッサの構成は、前記第１の基地局のキャッシュされた測定情報に少なくとも部分的に基づいて前記再選択基準を評価することを行う構成を備える、
装置。
【請求項１７】
前記モビリティ移転情報は、前記第２のＲＡＴにおける通信のために構成されるセルの近隣リストを備える、
請求項１６に記載の装置。
【請求項１８】
前記キャッシュされた測定情報は、前記第１の基地局に関連する信号強度インジケータを含む、
請求項１７に記載の装置。
【請求項１９】
修正する前記少なくとも１つのプロセッサの前記構成は、前記第１の基地局が前記近隣リスト中に含まれると決定されたときに実行される、
請求項１７に記載の装置。
【請求項２０】
前記第１の基地局が前記セルの近隣リスト中に存在し、前記再選択基準が前記キャッシュされた測定情報によって満たされるとき、第１の通信サービスのための第１の基地局に再選択する前記少なくとも１つのプロセッサの構成、
前記ＵＥが、前記第１の基地局が前記セルの近隣リスト中に含まれないとき、セル再選択を実行しないと決定する前記少なくとも１つのプロセッサの構成
のうちの１つをさらに備える、請求項１７に記載の装置。
【発明の詳細な説明】
【関連出願の相互参照】
【０００１】
[0001]本出願は、その全体が参照により本明細書に明確に組み込まれる、２０１３年６月１０日に出願された「INFLUENCING MOBILITY EVENTS IN SIMULTANEOUS RAT MODE USER EQUIPMENT」と題する米国仮特許出願第６１／８３３，２２１号の利益を主張する。
【技術分野】
【０００２】
[0002]本開示の態様は、一般に、ワイヤレス通信システムに関し、特に、同時無線アクセス技術（ＲＡＴ）モードのユーザ機器（ＵＥ）におけるモビリティイベントを管理することに関する。
【背景技術】
【０００３】
[0003]ワイヤレス通信ネットワークは、音声、ビデオ、パケットデータ、メッセージング、ブロードキャストなどといった、様々な通信サービスを提供するために広く展開されている。これらのワイヤレスネットワークは、利用可能なネットワークリソースを共有することによって、複数のユーザをサポートすることができる多元接続ネットワークでありうる。通常は多元接続ネットワークであるこのようなネットワークは、利用可能なネットワークリソースを共有することによって複数のユーザのための通信をサポートする。このようなネットワークの一例は、ユニバーサルテレストリアルラジオアクセスネットワーク（ＵＴＲＡＮ）である。ＵＴＲＡＮは、ユニバーサルモバイルテレコミュニケーションシステム（ＵＭＴＳ）の一部として定義された無線接続ネットワーク（ＲＡＮ）であって、第３世代パートナーシッププロジェクト（３ＧＰＰ（登録商標））によってサポートされる第３世代（３Ｇ）携帯電話技術である。多元接続ネットワークフォーマットの例は、符号分割多元接続（ＣＤＭＡ）ネットワークと、時分割多元接続（ＴＤＭＡ）ネットワークと、周波数分割多元接続（ＦＤＭＡ）ネットワークと、直交周波数分割多元接続（ＯＦＤＭＡ）ネットワークと、単一キャリアＦＤＭＡ（ＳＣ−ＦＤＭＡ）ネットワークとを含む。
【０００４】
[0004]ワイヤレス通信ネットワークは、多数のユーザ機器（ＵＥ）のための通信をサポートできる多数の基地局あるいはノードＢを含みうる。ＵＥは、ダウンリンクおよびアップリンクを介して基地局と通信しうる。ダウンリンク（すなわち、順方向リンク）は、基地局からＵＥへの通信リンクを指し、アップリンク（すなわち、逆方向リンク）は、ＵＥから基地局への通信リンクを指す。
【０００５】
[0005]基地局は、ダウンリンク上でデータおよび制御情報をＵＥに送信しうる、および／または、アップリンク上でデータおよび制御情報をＵＥから受信しうる。ダウンリンク上で、基地局からの送信は、近隣の基地局からの、あるいは、その他のワイヤレス無線周波数（ＲＦ）送信機からの送信による干渉に遭遇しうる。
【０００６】
[0006]モバイルブロードバンドアクセスのための需要が増加し続けるとともに、ワイヤレス通信のための１つより多くのネットワークまたは無線アクセス技術（ＲＡＴ）の利用は、より普及することになり、同時に複数のＲＡＴにアクセスする能力を持つデバイスが広く利用可能である。複数のＲＡＴへの同時アクセスの場合、モビリティおよびモビリティイベントの制御は、モバイル通信および効率的なネットワーク動作を持つユーザエクスペリエンスを向上させるために重要なままである。
【発明の概要】
【０００７】
[0007]開示の１つの態様では、ワイヤレス通信の方法は、ＵＥで、第１のＲＡＴから第２のＲＡＴへの、ＵＥでの第１の通信サービスの移転をトリガするモビリティイベントを検出すること、ここにおいて、ＵＥは、第１および第２のＲＡＴとの同時通信のために構成される、と、ＵＥが、第２の通信サービスのための第２のＲＡＴの第１の基地局に対する既存の接続を決定することと、ＵＥが、移転に関連する、第１のＲＡＴの第２の基地局からのモビリティ移転情報を受信すること、ここにおいて、モビリティ移転情報は、複数の近隣する第２のＲＡＴ基地局の測定値に対する情報を含む、と、ＵＥが、第１の基地局に関連するキャッシュされた測定情報のみを使用して、ＵＥによる第１のＲＡＴへの第１の通信サービスの移転のための第１の基地局の選択に影響を及ぼすこととを含む。
【０００８】
[0008]開示の追加の態様では、ワイヤレス通信のために構成された装置は、ＵＥで、第１のＲＡＴから第２のＲＡＴへの、ＵＥでの第１の通信サービスの移転をトリガするモビリティイベントを検出するための手段、ここにおいて、ＵＥは、第１および第２のＲＡＴとの同時通信のために構成される、と、ＵＥが、第２の通信サービスのための第２のＲＡＴの第１の基地局に対する既存の接続を決定するための手段と、ＵＥが、移転に関連する、第１のＲＡＴの第２の基地局からのモビリティ移転情報を受信するための手段、ここにおいて、モビリティ移転情報は、複数の近隣する第２のＲＡＴ基地局の測定値に対する情報を含む、と、ＵＥが、第１の基地局に関連するキャッシュされた測定情報のみを使用して、ＵＥによる第１のＲＡＴへの第１の通信サービスの移転のための第１の基地局の選択に影響を及ぼすための手段とを含む。
【０００９】
[0009]開示のさらなる態様では、ワイヤレスネットワークにおけるワイヤレス通信のためのコンピュータプログラム製品は、その上に記録されたプログラムコードを有する非一時的なコンピュータ可読媒体を含む。プログラムコードは、ＵＥで、第１のＲＡＴから第２のＲＡＴへの、ＵＥでの第１の通信サービスの移転をトリガするモビリティイベントを検出するコード、ここにおいて、ＵＥは、第１および第２のＲＡＴとの同時通信のために構成される、と、ＵＥが、第２の通信サービスのための第２のＲＡＴの第１の基地局に対する既存の接続を決定するコードと、ＵＥが、移転に関連する、第１のＲＡＴの第２の基地局からのモビリティ移転情報を受信するコード、ここにおいて、モビリティ移転情報は、複数の近隣する第２のＲＡＴ基地局の測定値に対する情報を含む、と、ＵＥが、第１の基地局に関連するキャッシュされた測定情報のみを使用して、ＵＥによる第１のＲＡＴへの第１の通信サービスの移転のための第１の基地局の選択に影響を及ぼすコードとを含む。
【００１０】
[0010]開示の別の態様では、ワイヤレス通信のために構成された装置は、メモリと少なくとも１つのプロセッサとを含む。プロセッサは、ＵＥで、第１のＲＡＴから第２のＲＡＴへの、ＵＥでの第１の通信サービスの移転をトリガするモビリティイベントを検出すること、ここにおいて、ＵＥは、第１および第２のＲＡＴとの同時通信のために構成される、と、ＵＥが、第２の通信サービスのための第２のＲＡＴの第１の基地局に対する既存の接続を決定することと、ＵＥが、移転に関連する、第１のＲＡＴの第２の基地局からのモビリティ移転情報を受信すること、ここにおいて、モビリティ移転情報は、複数の近隣する第２のＲＡＴ基地局の測定値に対する情報を含む、と、ＵＥが、第１の基地局に関連するキャッシュされた測定情報のみを使用して、ＵＥによる第１のＲＡＴへの第１の通信サービスの移転のための第１の基地局の選択に影響を及ぼすこととを行うように構成される。
【００１１】
[0011]本開示の追加の態様では、ワイヤレス通信の方法は、ＵＥで、第１のＲＡＴから第２のＲＡＴへの、ＵＥでの第１の通信サービスの移転をトリガするモビリティイベントを検出すること、ここにおいて、ＵＥは、第１および第２のＲＡＴとの同時通信のために構成される、と、ＵＥが、第２の通信サービスのための第２のＲＡＴの第１の基地局に対する既存の接続を決定することと、ＵＥが、移転に関連する、第１のＲＡＴの第２の基地局からのモビリティ移転情報を受信すること、ここにおいて、ＵＥは、第１のＲＡＴの第２の基地局でアイドル状態であり、モビリティ移転情報は、複数の近隣する第２のＲＡＴ基地局の測定値に対する情報を含む、と、ＵＥが、第１のＲＡＴへの第１の通信サービスの移転のために第１の基地局の選択のための再選択基準の評価を修正することとを含み、修正することは、第１の基地局のためのキャッシュされた測定情報のみを使用して再選択基準を評価することを備える。
【００１２】
[0012]本開示の追加の態様では、ワイヤレス通信のために構成された装置は、ＵＥで、第１のＲＡＴから第２のＲＡＴへの、ＵＥでの第１の通信サービスの移転をトリガするモビリティイベントを検出するための手段、ここにおいて、ＵＥは、第１および第２のＲＡＴとの同時通信のために構成される、と、ＵＥが、第２の通信サービスのための第２のＲＡＴの第１の基地局への既存の接続を決定するための手段と、ＵＥが、移転に関連する、第１のＲＡＴの第２の基地局からのモビリティ移転情報を受信するための手段、ここにおいて、ＵＥは、第１のＲＡＴの第２の基地局でアイドル状態であり、モビリティ移転情報は、複数の近隣する第２のＲＡＴ基地局の測定値に対する情報を含む、と、ＵＥが、第１のＲＡＴへの第１の通信サービスの移転のために第１の基地局の選択のための再選択基準の評価を修正するための手段とを含み、修正するための手段は、第１の基地局のためのキャッシュされた測定情報のみを使用して再選択基準を評価するための手段を備える。
【００１３】
[0013]本開示の追加の態様では、ワイヤレスネットワークにおけるワイヤレス通信のためのコンピュータプログラム製品は、その上に記録されたプログラムコードを有する非一時的なコンピュータ可読媒体を含む。プログラムコードは、ＵＥで、第１のＲＡＴから第２のＲＡＴへの、ＵＥでの第１の通信サービスの移転をトリガするモビリティイベントを検出するコード、ここにおいて、ＵＥは、第１および第２のＲＡＴとの同時通信のために構成される、と、ＵＥが、第２の通信サービスのための第２のＲＡＴの第１の基地局への既存の接続を決定するコードと、ＵＥが、移転に関連して第１のＲＡＴの第２の基地局からのモビリティ移転情報を受信すること、ここにおいて、ＵＥは、第１のＲＡＴの第２の基地局でアイドル状態であり、モビリティ移転情報は、複数の近隣する第２のＲＡＴ基地局の測定値に対する情報を含む、と、ＵＥが、第１のＲＡＴへの第１の通信サービスの移転のために第１の基地局の選択のための再選択基準の評価を修正するコードとを含み、修正するコードは、第１の基地局のためのキャッシュされた測定情報のみを使用して再選択基準を評価するコードを備える。
【００１４】
[0014]本開示の追加の態様では、ワイヤレス通信のために構成された装置は、メモリと、少なくとも１つのプロセッサとを含む。プロセッサは、ＵＥで、第１のＲＡＴから第２のＲＡＴへの、ＵＥでの第１の通信サービスの移転をトリガするモビリティイベントを検出すること、ここにおいて、ＵＥは、第１および第２のＲＡＴとの同時通信のために構成される、と、ＵＥが、第２の通信サービスのための第２のＲＡＴの第１の基地局に対する既存の接続を決定することと、ＵＥが、移転に関連する、第１のＲＡＴの第２の基地局からのモビリティ移転情報を受信すること、ここにおいて、ＵＥは、第１のＲＡＴの第２の基地局でアイドル状態であり、モビリティ移転情報は、複数の近隣する第２のＲＡＴ基地局の測定値に対する情報を含む、と、ＵＥが、第１のＲＡＴへの第１の通信サービスの移転のために第１の基地局の選択のための再選択基準の評価を修正することとを行うように構成され、修正することは、第１の基地局のためのキャッシュされた測定情報のみを使用して再選択基準を評価することを備える。
【図面の簡単な説明】
【００１５】
【図１】モバイル通信システムの例を説明するブロック図。
【図２】本開示の１つの態様に従って構成された基地局／ｅＮＢおよびＵＥの設計を説明するブロック図。
【図３】同時のデュアルＲＡＴのデバイスとして構成され、本開示の１つの態様に従って構成されたＵＥを説明するブロック図。
【図４】本開示の１つの態様に従って構成されたＵＥを説明するブロック図。
【図５】本開示の１つの態様を実装するように実行される例示のブロックを説明する機能ブロック図。
【図６Ａ】本開示の１つの態様を実装するために実行される例示のブロックを説明する機能ブロック図。
【図６Ｂ】本開示の１つの態様を実装するために実行される例示のブロックを説明する機能ブロック図。
【図７】本開示の様々な態様に従って構成された例示のＵＥのコールフローを説明するコールフローチャート。
【図８】本開示の様々な態様に従って構成された例示のＵＥのコールフローを説明するコールフローチャート。
【図９】本開示の様々な態様に従って構成された例示のＵＥのコールフローを説明するコールフローチャート。
【発明の詳細な説明】
【００１６】
[0022]添付の図面に関して以下に示す発明を実施するための形態は、様々な構成を説明するものであり、本開示の範囲を限定するものではない。むしろ、この詳細な説明は、発明の主題の徹底した理解を提供することを目的とした特定の詳細を含む。これら特定の詳細がすべてのケースで必要とされるわけではないこと、および、いくつかの事例では、提示の明確さのために周知の構造およびコンポーネントがブロック図の形式で示されることは、当業者には明らかであろう。
【００１７】
[0023]本明細書において説明される技術は、ＣＤＭＡ、ＴＤＭＡ、ＦＤＭＡ、ＯＦＤＭＡ、ＳＣ−ＦＤＭＡおよびその他のネットワークのような様々なワイヤレス通信ネットワークに関して使用されうる。「ネットワーク」および「システム」という用語は、しばしば交換可能に用いられる。ＣＤＭＡネットワークは、ユニバーサルテレストリアルラジオアクセス（ＵＴＲＡ）、電気通信産業アソシエーション（ＴＩＡ）、ＣＤＭＡ２０００、およびそれらと同様のもののような、無線技術を実装しうる。ＵＴＲＡ技術は、広帯域ＣＤＭＡ（ＷＣＤＭＡ（登録商標））とＣＤＭＡのその他の変形とを含む。ＣＤＭＡ２０００技術は、電子産業アライアンス（ＥＩＡ）およびＴＩＡからのＩＳ−２０００規格、ＩＳ−９５規格、およびＩＳ−８５６規格を含む。ＴＤＭＡネットワークは、グローバルシステムフォーモバイルコミュニケーション（ＧＳＭ（登録商標））のような無線技術を実装しうる。ＯＦＤＭＡネットワークは、発展型ＵＴＲＡ（Ｅ−ＵＴＲＡ）、ウルトラモバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＡ、およびそれらと同様のもののような無線技術を実装しうる。ＵＴＲＡおよびＥ−ＵＴＲＡ技術は、ユニバーサルモバイルテレコミュニケーションシステムシステム（ＵＭＴＳ）の一部である。３ＧＰＰロングタームエボリューション（ＬＴＥ（登録商標））およびＬＴＥアドバンスト（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称される団体からの文書内に記述される。ＣＤＭＡ２０００（登録商標）およびＵＭＢは、「第３世代パートナーシッププロジェクト２」（３ＧＰＰ２）と称される団体からの文書内に記述される。本明細書において説明される技術は、上述されたワイヤレスネットワークおよび無線接続技術に加えて、その他のワイヤレスネットワークおよび無線接続技術のために使用されうる。明確化のために、これらの技術の特定の態様は、ＬＴＥあるいはＬＴＥ−Ａ（代替として、共に「ＬＴＥ／−Ａ」と称される）に関して以下に記述され、このようなＬＴＥ／−Ａ用語を下記の説明の大部分において使用する。
【００１８】
[0024]図１は、通信のためのワイヤレスネットワーク１００を示し、これはＬＴＥ−Ａネットワークでありうる。ワイヤレスネットワーク１００は、いくつかの発展型ノードＢ（ｅＮＢ）１１０と他のネットワークエンティティとを含む。ｅＮＢは、ＵＥと通信する固定局でありえ、基地局、ノードＢ、アクセスポイントなどとさらに呼ばれうる。各ｅＮＢ１１０は、特定の地理的エリアに対して通信カバレージを提供しうる。３ＧＰＰでは、「セル」という用語は、この用語が使用されるコンテキストに応じて、ｅＮＢのこの特定の地理的カバレージエリアおよび／またはこのカバレージエリアをサービスするｅＮＢサブシステムを指すことができる。
【００１９】
[0025]ｅＮＢは、マクロセル、ピコセル、フェムトセル、および／あるいはその他のタイプのセルのための通信カバレージを提供しうる。マクロセルは一般的に、比較的大きい地理的エリア（例えば、半径数キロメータ）をカバーし、サービス加入しているＵＥによる、ネットワークプロバイダへの無制限のアクセスを可能にしうる。ピコセルは、一般的に、相対的により狭い地理的エリアをカバーし、ネットワークプロバイダにサービス加入しているＵＥによる制限のないアクセスを可能にし得る。フェムトセルはまた、一般的に、相対的に狭い地理的エリア（たとえば、家）をカバーし、制限のないアクセスに加え、フェムトセルとの関連づけを有するＵＥ（たとえば、クローズドサブスクライバグループ（ＣＳＧ）の中のＵＥ、家の中のユーザのためのＵＥ、等）による制限されたアクセスをも提供しうる。マクロセルのためのｅＮＢは、マクロｅＮＢと称されうる。ピコセルのためのｅＮＢは、ピコｅＮＢと称されうる。また、フェムトセルのためのｅＮＢは、フェムトｅＮＢまたはホームｅＮＢと称されうる。図１に示す例では、ｅＮＢ１１０ａ、１１０ｂ、および１１０ｃは、それぞれマクロセル１０２ａ、１０２ｂおよび１０２ｃのためのマクロｅＮＢである。ｅＮＢ１１０ｘは、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つ、等の）セルをサポートしうる。
【００２０】
[0026]ワイヤレスネットワーク１００はまた、中継局を含む。中継局は、上流局（たとえば、ｅＮＢ、ＵＥなど）からデータおよび／または他の情報の送信を受信し、データおよび／または他の情報の送信を下流局（たとえば、別のＵＥ、別のｅＮＢなど）に送る局である。中継局はまた、他のＵＥのための送信を中継するＵＥでありうる。図１に示す例では、中継局１１０ｒは、ｅＮＢ１１０ａおよびＵＥ１２０ｒと通信しえ、ここで、中継局１１０ｒは、それらの２つのネットワーク要素（ｅＮＢ１１０ａおよびＵＥ１２０ｒ）間の通信を容易にするために、それらの間の中継器として働く。中継局はまた、中継器ｅＮＢ、中継器、などと呼ばれうる。
【００２１】
[0027]ワイヤレスネットワーク１００は、同期あるいは非同期動作をサポートしうる。同期動作の場合、ｅＮＢは、同様のフレームタイミングを有し、異なるｅＮＢからの送信は、時間的にほぼアラインされうる。非同期動作の場合、ｅＮＢは、異なるフレームタイミングを有し、異なるｅＮＢからの送信は、時間的にアラインされえない。
【００２２】
[0028]ＵＥ１２０は、ワイヤレスネットワーク１００にわたって分散され、各ＵＥはステイショナリ―あるいはモバイルでありうる。ＵＥはまた、端末や、モバイル局や、加入者ユニットや、局などと称されうる。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、等でありうる。ＵＥは、マクロｅＮＢ、ピコｅＮＢ、フェムトｅＮＢ、中継器、等と通信可能でありうる。図１では、両矢印を有する実線は、ＵＥとサービングｅＮＢとの間での所望の送信を示し、サービングｅＮＢは、ダウンリンクおよび／またはアップリンク上におけるＵＥにサービングするよう指定されたｅＮＢである。両矢印を有する破線は、ＵＥとｅＮＢとの間での干渉送信を示す。
【００２３】
[0029]ＬＴＥ／−Ａは、ダウンリンクでは直交周波数分割多重化（ＯＦＤＭ）を利用し、アップリンクでは単一キャリア周波数分割多重化（ＳＣ−ＦＤＭ）を利用する。ＯＦＤＭとＳＣ−ＦＤＭＡは、システム帯域幅を複数の（Ｋ個の）直交サブキャリアに分割し、そしてそれらは、トーン、ビンまたは同様なものとも一般的に称される。各サブキャリアは、データとともに変調されうる。一般に、変調シンボルは、ＯＦＤＭでは周波数領域で、およびＳＣ−ＦＤＭＡでは時間領域で送られる。隣接するサブキャリアの間の空間は固定されえ、そしてサブキャリアの総数（Ｋ）は、システム帯域幅に依存し得る。例えば、Ｋは、対応するシステム帯域幅１．４、３、５、１０、１５、または２０メガヘルツ（ＭＨｚ）に対し、それぞれ、７２、１８０、３００、６００、９００、および１２００、と等しい。システム帯域幅はまた、サブバンドに分割されうる。例えば、サブバンドは、１．０８ ＭＨｚをカバーしえ、対応するシステム帯域幅１．４、３、５、１０、１５、または２０ＭＨｚに対し、それぞれ、１、２、４、８、または１６サブバンドに等しい。
【００２４】
[0030]ワイヤレスネットワーク１００は、単位エリア当たりのシステムのスペクトル効率を改善するために、ｅＮＢ１１０の多様なセット（すなわち、マクロｅＮＢ、ピコｅＮＢ、フェムトｅＮＢ、および中継器）を使用する。ワイヤレスネットワーク１００は、それのスペクトルカバレージのためにそのような異なるｅＮＢを使用するので、それは異種ネットワークとも称されうる。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。ピコｅＮＢ１１０ｘおよび中継局１１０ｒは、概して、かなり低い電力レベル（たとえば、１００ｍＷ〜２Ｗ）で送信し、マクロｅＮＢ１１０ａ〜ｃによって与えられたカバレージエリア中のカバレージホールを除去し、ホットスポットにおける容量を改善するために比較的無計画な方法で展開されうる。一般にワイヤレスネットワーク１００とは無関係に展開されるフェムトｅＮＢ１１０ｙ〜ｚは、それらの管理者によって許可された場合、ワイヤレスネットワーク１００への潜在的なアクセスポイントとして、または少なくとも、リソース協調および干渉管理の協調を実行するためにワイヤレスネットワーク１００の他のｅＮＢ１１０と通信しうる、アクティブでアウェアなｅＮＢとして、のいずれかでワイヤレスネットワーク１００のカバレージエリアに組み込まれうる。フェムトｅＮＢ１１０ｙ〜ｚはまた、一般に、マクロｅＮＢ１１０ａ〜ｃよりも十分に低い電力レベル（たとえば、１００ｍＷ〜２Ｗ）で送信する。
【００２５】
[0031]ワイヤレスネットワーク１００のような異種ネットワークの動作では、各ＵＥは、通常、より良好な信号品質を持つｅＮＢ１００によりサービス提供される一方で、他のｅＮＢ１１０から受信される所望されない信号は、干渉として扱われる。そのような動作原理が最適状態には到底及ばないパフォーマンスをもたらし得る一方で、ネットワークのパフォーマンスの向上が、ｅＮＢ１１０間のインテリジェントなリソース協調、より良好なサーバ選択ストラテジ、および効率的な干渉管理のためのより進歩した技法を使用することによって、ワイヤレスネットワーク１００において実装される。
【００２６】
[0032]ピコｅＮＢ１１０ｘのような、ピコｅＮＢは、マクロｅＮＢ１１０ａ〜ｃのようなマクロｅＮＢと比較した場合、十分により低い送信電力によって特徴づけられる。ピコｅＮＢはまた、通常、アドホック方式でワイヤレスネットワーク１００のようなネットワークの方々に配置されることになる。この無計画な展開のせいで、ワイヤレスネットワーク１００のようなピコｅＮＢの配置を有するワイヤレスネットワークは、干渉状況への低い信号を伴う広いエリアを有することが予期され、それは、カバレージエリア、すなわち、セル、のエッジ上のＵＥ（「セルエッジ」ＵＥ）への制御チャネル送信のためのよりチャレンジングなＲＦ環境を助長することができる。さらに、マクロｅＮＢ１１０ａ〜Ｃの送信電力レベルとピコｅＮＢ１１０ｘの送信電力レベルとの間の潜在的に大きな不均衡（たとえば、約２０ｄＢ）は、混合した展開では、ピコｅＮＢ１１０ｘのダウンリンクのカバレージエリアが、マクロｅＮＢ１１０ａ〜ｃのダウンリンクのカバレージエリアよりもはるかに小さくなるであろうことを暗に意味する。
【００２７】
[0033]しかしながら、アップリンクのケースでは、アップリンク信号の信号強度は、ＵＥによって支配されるので、どのタイプのｅＮＢ１１０によって受信された場合にも同様になるだろう。ｅＮＢ１１０のためのアップリンクのカバレージエリアはほぼ同一または同様であるので、アップリンクのハンドオフ境界は、チャネル利得に基づいて決定されるだろう。これは、ダウンリンクハンドオーバ境界とアップリンクハンドオーバ境界との間の不一致をもたらすことになる。追加のネットワークによる助けがなければ、不一致は、ダウンリンクとアップリンクのハンドオーバ境界がより緊密に一致しているマクロｅＮＢのみの同種ネットワークよりも、ワイヤレスネットワーク１００において、サーバ選択またはＵＥのｅＮＢへの関連づけをより困難にするだろう。
【００２８】
[0034]サーバ選択が、ＬＴＥリリース８規格において提供されるようにダウンリンク受信信号強度に主に基づいている場合、ワイヤレスネットワーク１００のような異種ネットワークの混在したｅＮＢ展開の実用性は、大いに減少するだろう。これは、ピコｅＮＢ１１０ｘが、著しくより弱いダウンリンク送信電力のために、いずれのＵＥにもサービス提供していない間、マクロｅＮＢ１１０ａ〜ｃのより高いダウンリンク受信信号強度は利用可能なＵＥの全てを引き付けることから、マクロｅＮＢ１１０ａ〜ｃのような、より高い電力源の（higher powered）マクロｅＮＢのより大きなカバレッジエリアは、ピコｅＮＢ１１０ｘのような、ピコｅＮＢを用いてセルカバレージを分割する利益を制限するからである。さらに、マクロｅＮＢ１１０ａ〜ｃは、これらのＵＥに効率的にサービス提供するために十分なリソースを有していない可能性が高いだろう。したがって、ワイヤレスネットワーク１００は、ピコｅＮＢ  １１０ｘのカバレージエリアの拡張によって、マクロｅＮＢｓ１１０ａ〜ｃとピコｅＮＢ１１０ｘとの間の負荷を積極的にバランスするように試みるだろう。この概念は、セル範囲拡大（ＣＲＥ）と称される。
【００２９】
[0035]ワイヤレスネットワーク１００は、サーバ選択が決定されるやり方を変更することによって、このＣＲＥを達成する。サーバ選択のベースをダウンリンク受信信号強度に置く代わりに、選択は、ダウンリンク信号の品質により基づく。１つのこのような品質ベースの決定では、サーバ選択は、最小のパスロスをＵＥに与えるｅＮＢを決定することに基づきうる。追加として、ワイヤレスネットワーク１００は、マクロｅＮＢ１１０ａ〜ｃとピコｅＮＢ１１０ｘとの間で固定されたリソースの分割を提供する。しかしながら、この負荷のバランスを積極的に用いずとも、マクロｅＮＢ１１０ａ〜ｃからのダウンリンク干渉は、ピコｅＮＢ１１０ｘのような、ピコｅＮＢによってサービス提供されるＵＥに対して軽減されるべきである。これは、ＵＥにおける干渉消去、ｅＮＢ１１０間のリソース調整、あるいはそれらと同様のものを含む、様々な方法によって成し遂げられることができる。
【００３０】
[0036]図２は、基地局／ｅＮＢ１１０およびＵＥ１２０の設計のブロック図を示し、それらは、図１における基地局／ｅＮＢのうちの１つおよびＵＥのうちの１つでありうる。制限付き関連付けシナリオの場合、ｅＮＢ１１０は、図１中のマクロｅＮＢ１１０ｃでありえ、ＵＥ１２０は、ＵＥ１２０ｙでありうる。ｅＮＢ１１０はまた、何らかの他のタイプの基地局でありうる。ｅＮＢ１１０は、アンテナ２３４ａ〜２３４ｔを装備しえ、ＵＥ１２０は、アンテナ２５２ａ〜２５２ｒを装備しうる。
【００３１】
[0037]ｅＮＢ１１０で、送信プロセッサ２２０は、データソース２１２からデータを、制御器／プロセッサ２４０から制御情報を受信しうる。制御情報は、ＰＢＣＨ、ＰＣＦＩＣＨ、ＰＨＩＣＨ、ＰＤＣＣＨ、等のためのものでありうる。データは、ＰＤＳＣＨ、等のためのものでありうる。送信プロセッサ２２０は、データシンボルおよび制御シンボルをそれぞれ取得するために、データおよび制御情報を処理し（例えば、符号化し、シンボルマップし）うる。送信プロセッサ２２０はまた、例えば、ＰＳＳ、ＳＳＳ、およびセル固有基準信号のための基準シンボルを生成しうる。送信（ＴＸ）多入力／多出力（ＭＩＭＯ）プロセッサ２３０は、適用可能な場合、データシンボル、制御シンボル、および／または基準シンボル上で空間処理（例えばプリコーディング）を実行し、出力シンボルストリームを変調器（ＭＯＤｓ）２３２ａ〜２３２ｔに提供しうる。各変調器２３２は、出力サンプルストリームを取得するために、（例えば、ＯＦＤＭなどのための）それぞれの出力シンボルストリームを処理しうる。各変調器２３２は、ダウンリンク信号を取得するために、出力サンプルストリームをさらに処理し（例えば、アナログへコンバートし、増幅し、フィルタに掛け、アップコンバートし）うる。変調器２３２ａ〜２３２ｔからのダウンリンク信号は、それぞれ、アンテナ２３４ａ〜２３４ｔを介して送信されうる。
【００３２】
[0038]ＵＥ１２０で、アンテナ２５２ａ〜２５２ｒは、ｅＮＢ１１０からダウンリンク信号を受信し、受信信号をそれぞれ復調器（ＤＥＭＯＤ）２５４ａ〜２５４ｒに提供しうる。各復調器２５４は、入力サンプルを取得するために、それぞれの受信信号を調整し（例えば、フィルタに掛け、増幅し、ダウンコンバートし、デジタル化し）うる。各復調器２５４はさらに、受信シンボルを取得するために、（例えば、ＯＦＤＭ、等のための）入力サンプルを処理しうる。ＭＩＭＯ検出器２５６は、すべての復調器２５４ａ〜２５４ｒからの受信シンボルを取得し、適用可能であれば、受信シンボルに対してＭＩＭＯ検出を実行し、検出したシンボルを提供する。受信プロセッサ２５８は、検出されたシンボルを処理し（例えば、復調し、デインタリーブし、復号し）、ＵＥ１２０のための復号されたデータをデータシンク２６０に提供し、復号された制御情報を制御器／プロセッサ２８０に提供しうる。
【００３３】
[0039]アップリンク上で、ＵＥ１２０で、送信プロセッサ２６４は、データソース２６２からの（例えば、ＰＵＳＣＨのための）データを受信および処理し、制御器／プロセッサ２８０からの（例えば、ＰＵＣＣＨのための）制御情報を受信しうる。送信プロセッサ２６４はまた、基準信号のための基準シンボルを生成しうる。送信プロセッサ２６４からのシンボルは、適用可能な場合、ＴＸ  ＭＩＭＯプロセッサ２６６によってプリコードされ、（例えば、ＳＣ−ＦＤＭ、等のために）変調器２５４ａ〜２５４ｒによってさらに処理され、ｅＮＢ１１０に送信されうる。ｅＮＢ１１０で、ＵＥ１２０からのアップリンク信号は、ＵＥ１２０によって送られた復号されたデータおよび制御情報を取得するために、アンテナ２３４によって受信され、復調器２３２によって処理され、適用可能な場合、ＭＩＭＯ検出器２３６によって検出され、受信プロセッサ２３８によってさらに処理されうる。プロセッサ２３８は、復号されたデータをデータシンク２３９に提供し、復号された制御情報を制御器／プロセッサ２４０に提供しうる。
【００３４】
[0040]制御器／プロセッサ２４０および２８０は、それぞれｅＮＢ１１０およびＵＥ１２０における動作を指示しうる。ｅＮＢ１１０での制御器／プロセッサ２４０および／または他のプロセッサおよびモジュールは、本明細書に記述された技術のための様々なプロセスの実行を行いまたは指示しうる。ＵＥ１２０での制御器／プロセッサ２８０および／または他のプロセッサとモジュールは、図５、図６Ａおよび図６Ｂ中に説明された機能ブロック、および／または本明細書で記述された技術のための他のプロセスを実行する、またはその実行を指示しうる。メモリ２４２および２８２はまた、それぞれ、ｅＮＢ１１０およびＵＥ１２０のためのデータおよびプログラムコードを記憶しうる。スケジューラ２４４は、ダウンリンクおよび／またはアップリンク上におけるデータ送信のためにＵＥをスケジュールしうる。
【００３５】
[0041]技術における進歩が見出されるにつれて、様々な無線アクセス技術（ＲＡＴ）は、サービスプロバイダによって展開される。時間およびコスト考慮のために、全ワイヤレスシステムは、次世代ＲＡＴに直ちに置き替えられえないまたはアップグレードされえないこのように、任意の与えられた地理的領域の至る所に展開される複数のＲＡＴを見出すことは一般的である。携帯電話事業者は、あるＲＡＴによって取り扱われるべきあるサービスを提供する間、他のサービスが別の共存するＲＡＴによって取り扱われていることによって混合したＲＡＴ展開の利点を取りうる。例えば、ＧＳＭが回路交換通信のために利用可能である一方、ＬＴＥは、パケット交換通信でより良い性能を有しうる。ＧＳＭはまた、パケット交換通信を取り扱うことができる；しかしながら、利用可能なとき、ＬＴＥは、これらのサービスのために好まれうる。
【００３６】
[0042]携帯電話事業者およびモバイルデバイス製造業者は、同時のＲＡＴ動作およびデバイスを提供することによってこのデュアル動作の利点を取りうる。例えば、同時のＧＳＭ音声およびＬＴＥデータ（ＳＧＬＴＥ）、または同時のＧＳＭ音声および時分割同期符号多元接続（ＴＤ−ＳＣＤＭＡ）データ（ＳＧＴＤＳ）デバイスのような、単一加入者識別モジュール（ＳＩＭ）デュアルアクティブ（ＳＳＤＡ）デバイスは、ＧＳＭのための専用無線および他のＲＡＴ（例えば、ＬＴＥ、ＴＤ−ＳＣＤＭＡ、等）のための別の専用無線を有する。そのようなデバイスでは、モビリティイベントは、あるＲＡＴ上でのサービスを他のＲＡＴに移転するようにトリガされうる。１つの例では、移転プロシージャは、評価を容易にするために第１のＲＡＴ上で近隣ＧＳＭセルの測定値を要求し、モビリティ評価基準を満たすＧＳＭセルに再選択しうる。しかしながら、そのような同時のデュアル無線ＵＥでは、第１のＲＡＴ上のＧＳＭセルに対する接続が既に存在しうる。したがって、モビリティイベントが第２のＲＡＴからＧＳＭへの移転プロシージャをトリガする場合、既存のＧＳＭ接続は、ＲＡＴ移転を完了するために中断されうる。従って、本開示の様々な態様は、第２のＲＡＴから第１  ＲＡＴへのモビリティプロシージャを容易にする一方で、ＵＥ上で影響を受けていない第１のＲＡＴサービスに既存の接続を維持するような方法でモビリティプロシージャを評価することに向けられる。さらに、この例では、第１のＲＡＴ上のＧＳＭセルが最初に決定された時、第１のＲＡＴにわたる通信に適しているとして判断された。したがって、本開示に従って、ＲＡＴ上の既存のセルまたは基地局が、サービスが別のＲＡＴから移転されるときの使用のために適したままであり、そのようなサービスが第１のＲＡＴ上のいくつかの他の目的地よりむしろ同じ基地局またはセルに移転されるべきであることが望しくなることが考慮される。
【００３７】
[0043]図３は、同時のデュアルＲＡＴデバイスとして構成され、本開示の１つの態様に従って構成されるＵＥ３００を説明するブロック図である。この例では、ＵＥ３００は、ＲＡＴ１のセル３０１上に留まり、ＲＡＴ２のセル３０２に関連するものとして示される。ＵＥ３００とＲＡＴ２のセル３０２との間の関連性は、ＲＡＴ２のセル３０２とのアクティブな通信である、またはＵＥ３００は、ＲＡＴ２のセル３０２上に留まり、アイドルモードでありうる。モビリティイベントは、ＲＡＴ２のセル３０２に関してＵＥ  ３００で生じる。モビリティイベントは、ＲＡＴ２のセル３０２によって取り扱われる通信サービスをＲＡＴ１ネットワークに移転するように動作するだろう評価プロセスをトリガする。典型的なモビリティ評価プロセスは、ＲＡＴ１のセル３０１、３０３、および３０４のようなＲＡＴ１の近隣セルの各々に対する信号品質測定値を行うことをＵＥ３００に要求するだろう。しかしながら、ＵＥ３００は、ＲＡＴ１のセル３０１上に既に留まっている。
【００３８】
[0044]ＵＥ３００がＲＡＴ１のセル３０３へ（例えば再選択、リダイレクション、ハンドオーバなど通じて）通信サービスを移転すべきであると結論を下すモビリティ評価プロシージャおよび測定の結果だとしたら、ＵＥ３００は、ＲＡＴ１のセル３０１に既に関連する既存の通信サービスをＲＡＴ１のセル３０３に移転することを要求されることができる。この動作は、現在のサービスを中断し、望まれないＲＡＴ１のセルへ移転することを包含できる。ＲＡＴ１のセル３０１と関連するより有利な利用料金のため、またはおそらくＵＥがＲＡＴ１のセル３０１に移転し返す結果になるだろう方向に動いているためのいずれでも、ＵＥは、ＲＡＴ１のセル３０１に素早く移転し返されるためにだけにＲＡＴ１のセル３０３に移転されうる。ＲＡＴ１のセル３０１と既存の通信サービス中のこれらの中断および複数の移転は、ＵＥ３００との通信中の実質的な遅延を引き起こすことになり、追加の移転要求に起因してＵＥ３００での電力消費に悪影響を及ぼしうる。
【００３９】
[0045]ＵＥ３００が２つのＲＡＴを使用する場合、典型的なモビリティ評価プロシージャの代わりに本開示の１つの態様に従って修正することができる。１つの態様では、モビリティイベントがトリガされるとき、ＵＥ３００は、ＲＡＴ１のセルに既に関連しているかどうか決定するためにチェックする。ＵＥ３００がＲＡＴ１のセル３０１のような、ＲＡＴ１のセルに既に関連している場合、ＵＥ３００は、モビリティプロシージャに影響を及ぼすためにそのアクションを修正するだろう。例えば、ＵＥ３００は、サービングＲＡＴ１のセル、ＲＡＴ１のセル３０１に関して既存のキャッシュされた測定情報を使用することによってモビリティプロシージャに影響を及ぼすことができる。近隣のＲＡＴ１のセルの新規の測定を実行する代わりに、ＵＥ３００は、ＲＡＴ１のセル３０１のためにキャッシュされた既存の測定情報を代用し、ＲＡＴ２のセル３０２と継続している通信サービスからＲＡＴ１のセル３０１を再選択するように再選択決定を行うためにキャッシュされた測定情報を使用すること、あるいは測定レポート中にＲＡＴ１のセル３０１のためのキャッシュされた測定情報を詰め、ハンドオーバ評価のためにＲＡＴ２のセル３０２に測定レポートを送ることのいずれかを行う。測定レポートがＲＡＴ１のセル３０１のための測定情報のみを含むことになるので、ハンドオーバ決定は、ハンドオーバのためにＲＡＴ１のセル３０１を選択するように重み付けられることになる。
【００４０】
[0046]図４は、本開示の１つの態様に従って構成されるＵＥ１２０を説明するブロック図である。示されるように、ＵＥ１２０は、ＲＡＴ１との通信サービスのための専用のＲＡＴ１の無線４００およびＲＡＴ２との通信サービスのための専用のＲＡＴ２の無線４０１を含む同時の複数のＲＡＴのデバイスである。ＲＡＴ１およびＲＡＴ２は、互いに異なるが、ＧＳＭ、ＬＴＥ、ＴＤ−ＳＣＤＭＡ、ＷＩＦＩ、等を含む様々なＲＡＴのうちの任意の数のものでありうる。ＵＥ１２０はまた、ＲＡＴ１の無線４００およびＲＡＴ２の無線４０１を通じて同時の通信のために構成される。制御器／プロセッサ２８０は、１つまたは複数のプロセッサまたはプロセッサコアであり、ＵＥ１２０の機能にしたがって動作するためにＵＥの特徴および機能性を実行する制御器である。制御器／プロセッサ２８０は、ＲＡＴ１の無線４００およびＲＡＴ２の無線４０１を制御し、メモリ２８２中に記憶された情報を使用および情報へのアクセスを制御し、論理も実行する。
【００４１】
[0047]例示の動作では、ＵＥ１２０は、ＲＡＴ１の無線４００およびＲＡＴ２の無線４０１を通じて通信サービスを同時に維持する。この例の目的のために、ＵＥ１２０は、ＲＡＴ１の無線４００を持つ、ＲＡＴ１を通じて回路交換通信サービス、およびＲＡＴ２の無線４０１を持つ、ＲＡＴ２を通じてパケット交換通信サービスを維持する。ＲＡＴ２の無線４０１とのＲＡＴ２のセル通信の基準信号の信号強度が所定のしきい値を下回るような、モビリティイベントが生じる。制御器／プロセッサ２８０の制御の下で、ＵＥ１２０は、メモリ２８２中に記憶されたＲＡＴ１サービングセル情報４０２を取得する。
【００４２】
[0048]ＵＥ１２０がＲＡＴ２のセルからＲＡＴ１のセルへの再選択、ハンドオーバ、またはリダイレクションを実行することになるかどうかにより、ＵＥ１２０は、任意の移転決定を調節するまたは影響を及ぼすためにＲＡＴ１サービングセル測定値４０３を使用する。例えば、ＵＥ１２０がＲＡＴ２のセル上でアイドル状態である場合、ＲＡＴ１サービングセル測定値４０３は、制御器／プロセッサ２８０の制御の下で、ＵＥ１２０がＲＡＴ１無線４００を通じてＲＡＴ１のセルとの既存の接続への再選択を評価するために使用することになる、受信信号強度インジケータ（ＲＳＳＩ）を含みうる。ＵＥ１２０がＲＡＴ２のセルと接続状態である場合、ＲＡＴ１サービングセル測定値は、現在のＲＡＴ１サービングセルのためのキャッシュされた測定情報になるだろう。制御器／プロセッサ２８０の制御の下で、ＵＥ１２０は、近隣のＲＡＴ１のセルの任意の測定を実際に実行せずに、ＲＡＴ２サービングセルに測定レポートとしてこの測定情報を送るだろう。ＲＡＴ２のサービングセルは、ＲＡＴ１の無線４００を通じて既存のＲＡＴ１のサービングセルに対するハンドオーバまたはリダイレクションを決定するために、この重み付けられた測定情報を使用するだろう。一旦、移転決定がなされとしても、再選択、ハンドオーバ、またはリダイレクションを通じてであろうとなかろうと、制御器／プロセッサ２８０の制御の下で、ＵＥ１２０は、ＲＡＴ１の無線４００で通信しているＲＡＴ１のサービングセルへの既存の接続を使用して、ＲＡＴ２で一般に実行しうる、パケット交換通信サービスをＲＡＴに移転するために、メモリに記憶された、移転論理４０４を実行することになる。移転論理４０４は、場合によっては、再選択、ハンドオーバ、またはリダイレクションのいずれかを実行するために、ＵＥ１２０によって使用されるプロセスおよびアクションを含む。
【００４３】
[0049]図５は、本開示の１つの態様を実装するために実行される例示のブロックを説明する機能ブロック図である。ブロック５００で、ＵＥは、第１のＲＡＴから第２のＲＡＴへの、ＵＥと第１のＲＡＴを通じて行われる第１の通信サービスの潜在的移転をトリガするモビリティイベントを検出する。ＵＥは、第１および第２のＲＡＴと同時通信するために構成される。したがって、いくつかの通信サービスが第１のＲＡＴで進行中である一方、同時通信は、ＵＥと第２のＲＡＴで進行中でありうる。
【００４４】
[0050]ブロック５０１で、ＵＥは、第１のＲＡＴから第２のＲＡＴへの、第１の通信サービスの移転に関する、第１のＲＡＴの第２の基地局からのモビリティ移転情報を受信する、ここで、モビリティ移転情報は、複数の近隣する第２のＲＡＴ基地局の測定値のための情報を含む。モビリティ移転情報は、第２のＲＡＴのために構成されたセルの近隣セルリスト、ＵＥに第２のＲＡＴのために構成された様々な近隣セルを測定するように指示する測定対象、または同様のものでありうる。ブロック５０２で、ＵＥが第１のＲＡＴの第２の基地局でアイドル状態であるとき、ＵＥは、第２の通信サービスのための第２のＲＡＴの第１の基地局に対する既存の接続を決定する。
【００４５】
[0051]ブロック５０３で、ＵＥは、第１の基地局の選択のための再選択基準の評価を修正する、ここで、修正することは、第１の基地局のためのキャッシュされた測定情報に少なくとも部分的に基づいて再選択基準を評価することを備える。ＵＥが第１のＲＡＴに関してアイドルモードであるとき、ＵＥは、現在接続される第１の基地局のキャッシュされた測定情報に基づいてハンドオーバ判定を行うように、第２のＲＡＴの基地局に対する第１の基地局での信号強度インジケータのような、キャッシュされた測定情報に即座に基づいてセル再選択基準を評価しうる。
【００４６】
[0052]システム構成に依存して、第１の基地局が、第２のＲＡＴの基地局から受信した測定対象でまたは近隣リストのいずれかにおいて見出される場合、ＵＥは、キャッシュされた測定情報のみを使用することに注意されたい。さもなければ、ＵＥは、あたかも移転を受信する近隣の第２のＲＡＴの基地局がないものとして進む。システムはまた、第１のＲＡＴの基地局から受信される情報中に含まれるか否かに関わりなく、現在接続される第２のＲＡＴ基地局に関連するキャッシュされた測定情報を使用するように構成されうる。本開示の態様は、任意のある特定のシステム構成に限定されるものではない。
【００４７】
[0053]図６Ａ−６Ｂは、本開示の１つの態様を実装するように実行される例示のブロックを説明する図である。図６Ａで開始して、ブロック６００で、ＵＥは、２つの異なるＲＡＴ、第１および第２のＲＡＴ、を使用して、通信サービスで同時処理モードにおいて作動する。第１および第２のＲＡＴは、ＧＳＭ、ＬＴＥ、ＴＤ−ＳＣＤＭＡ、ＷＩＦＩ、等のような、様々な異なるタイプのＲＡＴでありうる。ブロック６０１で、ＵＥが第２のＲＡＴの上のサービスを有するかの決定を行う。例えば、第１のＲＡＴがＧＳＭであり、第２のＲＡＴがＬＴＥであろう場合、ＵＥは、それがＬＴＥ上でサービスを有するかどうかを決定するだろう。第２のＲＡＴ上でのサービスがない場合、その後、ブロック６０２で、第１のＲＡＴを包含する何らの測定値も第２のＲＡＴ上のサービスが取得されるまで必要ではない。第２のＲＡＴ上でのサービスがなければ、ＲＡＴ間でのモビリティが何ら必要ないだろう。従って、何の測定も必要ではないだろう。
【００４８】
[0054]ＵＥが第２のＲＡＴ上にサービスを有している場合、その後、ブロック６０３で、ＵＥは、ＵＥのメモリ中にキャッシュされた第１のＲＡＴの現在のサービングセルに関する情報を取得する。キャッシュされた情報は、ＵＥに、第１のＲＡＴ通信のための現在のサービングセルがあることを知らせることを可能にするだろう。
【００４９】
[0055]ブロック６０４で、ＵＥが第２のＲＡＴ上でアイドル状態であるかどうかの決定を行う。第２のＲＡＴ上のＵＥの状態は、ＵＥの、第２のＲＡＴでの通信サービスがどのように第２のＲＡＴから第１のＲＡＴへ移転されるかを決定することになるだろう。ＵＥがアイドル状態でない場合、その後、ブロック６０５で、第２のＲＡＴが第１のＲＡＴのサービングセルを含む第１のＲＡＴ測定値を要求したかどうかの別の決定を行う。もしその要求がなければ、ブロック６０６で、何らの測定レポートも第２のＲＡＴに送られないことになる。その後、処理は、ブロック６０３から継続するだろう。
【００５０】
[0056]第２のＲＡＴが第１のＲＡＴのサービングセルを含む第１のＲＡＴ測定値を要求している場合、その後、ブロック６０７で、ＵＥは、第１のＲＡＴのサービングセルに関連するキャッシュされた測定情報を検索し、第２のＲＡＴへの測定レポート中でその測定情報を送る。その後、第２のＲＡＴは、ＵＥの現在の第１のＲＡＴサービングセルからの測定情報にのみ基づいてハンドオーバまたはリダイレクション決定を行うことになる。
【００５１】
[0057]図６Ｂと共に続いて、ブロック６０４での決定が、ＵＥが第２のＲＡＴ上でアイドルモードである場合、その後、プロセスＡは、ブロック６０８での、第１のＲＡＴのサービングセルが第２のＲＡＴから取得された第１のＲＡＴ近隣リストの一部であるかどうかの決定と共に続く。第１のＲＡＴのサービングセルが近隣リストの一部でない場合、その後、ブロック６１２で、ＵＥは、あたかも第１のＲＡＴの近隣セルが存在しないかのように動作すると共に、ブロック６１３で、何の再選択も生じない。
【００５２】
[0058]第１のＲＡＴのサービングセルが第２のＲＡＴによって提供される近隣リスト上にある場合、その後、ブロック６０９で、ＵＥは、ＲＳＳＩのような、キャッシュされた信号強度情報を取得し、第１のＲＡＴサービングセルへの再選択を評価するために信号強度情報を使用する。ブロック６１０で、再選択基準が満たされたかどうかの決定を行う。再選択基準を満たさない場合、その後、ブロック６１２で、ＵＥは再び、あたかも第１のＲＡＴの近隣セルが存在しないかのように動作する。しかしながら、再選択基準が満たされる場合、その後、ブロック６１１で、ＵＥは、第２のＲＡＴを通じて提供されていた通信サービスのために第１のＲＡＴのサービングセルを再選択する。第１のＲＡＴのサービングセルのために既存の測定を使用し、再選択のための評価プロシージャを修正することによって、たとえば、第１のＲＡＴとの関連が何ら存在しない場合、ＵＥが異なる第１のＲＡＴのサービングセルを選択しているかどうかに関わりなく、ＵＥは、第１のＲＡＴのサービングセルに対して意向（will）を再選択する。
【００５３】
[0059]図７は、本開示の１つの態様に従って構成されるＵＥ１２０と、ＲＡＴ１のセル７０と、ＲＡＴ２のセル７１との間で行われる典型的なコールフローを説明するコールフローチャートである。ＵＥ１２０は、ＲＡＴ１とＲＡＴ２の両方と同時通信サービスが可能な、同時の、デュアルＲＡＴデバイスである。７００で、ＵＥ１２０は、ＲＡＴ１のセル７０上に留まり、ＲＡＴ２のセル７１上でアイドル状態にある。７０１で、ＵＥ１２０は、回路交換通信サービスがＲＡＴ１のセル７０で生じ、パケット交換通信サービスがＲＡＴ２のセル７１で生じるように動作する。ＲＡＴ１のセル７０およびＲＡＴ２のセル７１の各々とのその通信の一部として、７０２で、ＵＥ１２０は、ＲＡＴ２のセル７１にそのＲＡＴ１能力を広告する一方、７０３で、ＵＥ１２０は、ＲＡＴ１のセル７０にそのＲＡＴ２能力を広告しない。パケット交換通信がＲＡＴ２のセル７１からＲＡＴ１のセル７０に移転することになりうるのと同時にＲＡＴ１のセル７０からＲＡＴ２のセル７１に移転することに関わる任意のＲＡＴ１のパケット交換通信をＵＥ１２０が望まないので、ＵＥ１２０は、ＲＡＴ１のセル７０にそのＲＡＴ２能力を広告しない。両方の指示におけるこの関わりは、サービス影響がある無線から別の無線へ移動することをもたらすことになるだろう。
【００５４】
[0060]７０４で、ＲＡＴ２のセル７１は、ＲＡＴ１のセルの近隣リストを含むシステム情報を送る。７０５で、ＵＥ１２０は、ＵＥ１２０の現在のサービングセルである、ＲＡＴ１のセル７０が近隣リスト中に含まれるかどうか考慮する。もし含まれるのであれば、７０６で、ＵＥ１２０は、ＲＡＴ１のセル７０のためのキャッシュされた信号強度測定値を取得する。信号強度測定値は、ＲＳＳＩまたは同様なもののような測定値を含みうる。信号強度測定値を使用して、ＵＥ１２０は、ＲＡＴ１のセル７０に対するパケット交換通信サービスのためのセル再選択を評価する。
【００５５】
[0061]７０７で、ＵＥ１２０は、任意の新規の測定を行なわずに、ＲＡＴ１のセル７０に対するパケット交換サービスを再選択する。再選択の後、７０９で、ＵＥ１２０は、ＲＡＴ１のセル７０に現在留まる。７０９で、ＲＡＴ１のセル７０とのパケット交換接続は、ＵＥ１２０とＲＡＴ１のセル７０との間で開始される。７１０で、非アクセス層（ＮＡＳ）直接移転（ＤＴ）メッセージは、ＵＥ１２０とＲＡＴ１のセル７０との間で交換される。ＮＡＳ  ＤＴメッセージは、ＲＡＴ１に対するＵＥ１２０のためのルーティングエリア更新を提供する。７１１で、ＵＥ１２０の結果として生じる動作は、ＲＡＴ１  ７０を使用して、パケット交換通信サービスと回路交換通信サービスとの両方を提供する。
【００５６】
[0062]図８は、図７において示されたような、典型的なコールフローを説明するコールフローチャートであるが、図８では、ＵＥ１２０は、ＲＡＴ２のセル７１上で接続される。８００−８０３のコールフロー処理は、８００で、ＵＥ１２０がＲＡＴ１のセル７０に留まり、ＲＡＴ２のセル７１と接続される以外は７００−７０３（図７）のコールフロー処理と類似している。８０１で、ＵＥは、ＲＡＴ１のセル７０上の回路交換通信およびＲＡＴ２のセル７１上のパケット交換通信を維持し、８０２で、ＲＡＴ２のセル７１へ同一完全な広告することを維持し、８０３で、ＲＡＴ１のセル７０への一部の広告することを維持する。
【００５７】
[0063]８０４で、ＲＡＴ２のセル７１と接続された状態では、ＵＥ１２０は、周囲のＲＡＴ１のセルを測定するための複数のＲＡＴ１測定対象を含む接続再構成メッセージを受信する。８０５で、ＵＥ１２０は、ＵＥ１２０の現在のＲＡＴ１のサービングセルである、ＲＡＴ１のセル７０が接続再構成メッセージにおいて測定対象のうちの１つとして含まれるかどうか決定する。８０６で、含まれるのであれば、ＵＥ１２０は、ＲＡＴ１のセル７０のためにキャッシュされた測定値を取得する。ＵＥ１２０のサービングＲＡＴ１のセルとして、ＵＥ１２０は、ＲＡＴ１のセルとの接続の様々な測定メトリックを周期的に獲得することになる。
【００５８】
[0064]８０７で、ＵＥ１２０は、測定レポート中にＲＡＴ１のセル７０のためにキャッシュされた測定情報を詰め込み、ＲＡＴ２のセル７１へ測定レポートを送る。測定レポートは、ＲＡＴ１測定対象が他の近隣ＲＡＴ１のセルを含むかどうかにかかわらず、ＲＡＴ１のセル７０のための測定のみを包含しうる。したがって、ＲＡＴ２のセル７１は、サービングＲＡＴ１のセルの測定値にのみ基づいてハンドオーバ決定を行う。８０８で、ＲＡＴ２のセル７１は、ＵＥ１２０に、ＲＡＴ２のセル７１上の現在のパケット交換通信サービスをＲＡＴ１のセル７０にハンドオーバするように指示する、ＵＥ１２０へのハンドオーバコマンドを送る。
【００５９】
[0065]８０９で、ＵＥ１２０は、パケット交換通信のためにＲＡＴ１のセル７０に接続される。８１０および８１１でのコールフローは、８１０で、ＮＡＳ  ＤＴメッセージが交換され、回路交換通信およびパケット交換通信がＵＥ１２０のためのＲＡＴ１のセル上で現在生じている、コールフロー７１０および７１１（図７）と類似している。
【００６０】
[0066]図９は、図７および図８中に示されるような典型的なコールフローを説明するコールフローチャートであるが、図９では、ＵＥ１２０がＲＡＴ２のセル７１上で接続され、ハンドオーバの代わりにリダイレクトされることになる。８００−８０７および８１０−８１１でのコールフロー処理は、図８中と同じであり、図９に関係して再び記述されることないないだろう。９００で、８０７で、ＲＡＴ１のセル７０のための測定情報のみを包含する、ＵＥ１２０からの測定レポートを受信した後に、ＲＡＴ２のセル７１は、リダイレクション決定を行い、ＲＡＴ１のセル７０にリダイレクトするためにリダイレクションメッセージと共に接続リリースメッセージを送る。９０１で、リダイレクションの後、ＵＥ１２０は、ＲＡＴ１のセル７０上に留まれない。ＵＥ１２０とＲＡＴ１のセル７０との間の接続は、９０２で開始される。８１０および８１１でのコールフローは、８１１で、ＵＥ１２０がＲＡＴ１のセル７０を通じて接続されるパケット交換通信サービスおよび回路交換通信サービスの両方で終わるような、図８中に記述されるのと同じである。
【００６１】
[0067]当業者は、情報と信号とが、多様で異なる技法と技術のいずれかを用いて表されることを理解するであろう。例えば、上記の記述の至る所で参照されうるデータ、命令群、コマンド、情報、信号、ビット、シンボル、およびチップは、電圧、電流、電磁波、磁界あるいは磁気粒子、光学界または光学粒子、あるいはそれら任意の組み合わせによって表わされうる。
【００６２】
[0068]図５、図６Ａ、および図６Ｂの機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備えうる。
【００６３】
[0069]当業者は、本明細書の開示に関連して記述される様々な例示的な論理ブロック、モジュール、回路、およびステップが、電子的ハードウェア、コンピュータソフトウェア、あるいはそれらの組合せとして実施されうるということをさらに理解するだろう。ハードウェアおよびソフトウェアの互換性を明確に例示するために、様々な例示的なコンポーネント、ブロック、モジュール、回路、およびステップは、一般にそれらの機能の観点から上記で記述されている。このような機能がハードウェアとして実装されるか、ソフトウェアとして実装されるかは、システム全体に課される特定のアプリケーションおよび設計制約に依存する。当業者は、記述された機能を、各特定のアプリケーションのために様々な方法で実装しうるが、このような実装決定は、本開示の範囲からの逸脱を生ずるものとして解釈されるべきではない。当業者はまた、熟練した職人は、順序または構成要素の組み合わせ、方法、または本明細書に記述される相互作用は、構成要素、方法、または本開示の様々な態様の相互作用が本明細書に説明され記述されるもの以外の方法で組み合わされうる、または実行されうることを容易に認識するだろう。
【００６４】
[0070]本明細書の本開示に関連して記述された様々な例示的な論理ブロック、モジュール、および回路は、本明細書に開示された機能を実行するために、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラム可能な論理デバイス、ディスクリートゲートあるいはトランジスタ論理、ディスクリートハードウェアコンポーネント、またはそれらの任意の組み合わせを実装するか、または実行されうる。汎用プロセッサは、マイクロプロセッサでありうるが、代替において、プロセッサは、任意の従来のプロセッサ、制御器、マイクロ制御器、またはステートマシンでありうる。プロセッサはまた、コンピューティングデバイスの組み合わせ、例えば、ＤＳＰとマイクロプロセッサとの組み合わせ、複数のマイクロプロセッサ、ＤＳＰコアと結合された１つまたは複数のマイクロプロセッサ、または任意の他のそのような構成として、実装され得る。
【００６５】
[0071]本明細書の開示に関連して説明された方法またはアルゴリズムのステップは、ハードウェアで直接的に、プロセッサによって実行されるソフトウェアモジュールで、またはその２つの組み合わせで、具現化されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術において知られる任意の他の形態の記憶媒体中に常駐しうる。例示的な記憶媒体は、プロセッサが、記憶媒体から情報を読み取り、および記憶媒体へ情報を書き込むことができるようなプロセッサに結合されうる。代替では、記憶媒体は、プロセッサに一体化されうる。このプロセッサと記憶媒体とは、ＡＳＩＣ内に存在しうる。プロセッサおよび記憶媒体は、ＡＳＩＣに常駐しうる。代替では、プロセッサおよび記憶媒体は、ユーザ端末において、離散コンポーネントとして常駐できる。
【００６６】
[0072]１つまたは複数の例示的な設計では、記述される機能は、ハードウェア、ソフトウェア、ファームウェア、あるいはそれら任意の組み合わせで実装されうる。ソフトウェアで実装される場合、その機能は、コンピュータ可読媒体上の１つ以上の命令またはコードとして記憶または送信されうる。コンピュータ可読記憶媒体は、汎用または専用コンピュータによってアクセスされることができる任意の利用可能な媒体でありうる。限定ではなく例として、そのようなコンピュータ可読記憶媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコード手段を搬送または記憶するために使用されることができ、かつ、汎用または専用コンピュータ、または汎用または専用プロセッサによってアクセスされることができる、任意の他の媒体を備えることができる。また、非一時的接続は、コンピュータ可読媒体の定義内に適切に含まれうる。たとえば、命令が、同軸ケーブル、光ファイバーケーブル、ツイストペア、またはデジタル加入者線（ＤＳＬ）を使用して、ウェブサイト、サーバ、または他のリモートソースから送信される場合、同軸ケーブル、光ファイバーケーブル、ツイストペア、またはＤＳＬは、媒体の定義に含まれる。本明細書において使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここでディスク（disk）は通常、磁気的にデータを再生し、ディスク（disc）は、レーザーを用いて光学的にデータを再生する。上記の組み合わせはまた、コンピュータ可読媒体の範囲内に含まれるべきである。
【００６７】
[0073]特許請求の範囲を含む、本明細書で使用される場合、「および／または」という用語は、２つ以上の項目からなるリストで使用されるとき、リストされた項目のうちのいずれか１つがそれ自体によって採用されうること、あるいは、リストされた項目のうちの２つ以上からなる任意の組み合わせが採用されうることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含みうる。また、ここに使用されるように、特許請求の範囲を含む、「のうちの少なくとも１つ」で始まる項目のリストで使用される「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するように離接的なリスト（disjunctive list）を示す。
【００６８】
[0074]本開示の先の説明は、本開示を製造または使用することをいずれの当業者にも可能にさせるために提供される。これらの開示に対する様々な変更は当業者には容易に明らかであり、本明細書において定義された包括的な原理は、本開示の精神または範囲を逸脱することなく他の変形に適用されうる。したがって、本開示は、本明細書において説明された例および設計に限定されることは意図せず、本明細書に開示された原理および新規な特徴と一致する最も広い範囲が付与されるべきである。
【図１】
2019193276.tif 000003
【図２】
2019193276.tif 000004
【図３】
2019193276.tif 000005
【図４】
2019193276.tif 000006
【図５】
2019193276.tif 000007
【図６Ａ】
2019193276.tif 000008
【図６Ｂ】
2019193276.tif 000009
【図７】
2019193276.tif 000010
【図８】
2019193276.tif 000011
【図９】
2019193276.tif 000012
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）で、第１の無線アクセス技術（ＲＡＴ）から第２のＲＡＴに、前記ＵＥでの第１の通信サービスの移転をトリガするモビリティイベントを検出すること、ここにおいて、前記ＵＥは、前記第１および第２のＲＡＴと同時通信するために構成される、と、
前記ＵＥが、前記移転に関連する前記第１のＲＡＴの第２の基地局からモビリティ移転情報を受信すること、ここにおいて、前記モビリティ移転情報は、複数の近隣する第２のＲＡＴ基地局の測定値のための情報を含む、と、
前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定することと、
前記ＵＥが、前記第１の基地局の選択のための再選択基準の評価を修正することと
を備え、前記修正することは、前記第１の基地局のキャッシュされた測定情報に少なくとも部分的に基づいて前記再選択基準を評価することを備える、
方法。
【手続補正２】
【補正対象書類名】明細書
【補正対象項目名】００６８
【補正方法】変更
【補正の内容】
【００６８】
[0074]本開示の先の説明は、本開示を製造または使用することをいずれの当業者にも可能にさせるために提供される。これらの開示に対する様々な変更は当業者には容易に明らかであり、本明細書において定義された包括的な原理は、本開示の精神または範囲を逸脱することなく他の変形に適用されうる。したがって、本開示は、本明細書において説明された例および設計に限定されることは意図せず、本明細書に開示された原理および新規な特徴と一致する最も広い範囲が付与されるべきである。
以下に、本願出願の当初の特許請求の範囲に記載された発明を付記する。
［Ｃ１］
ワイヤレス通信の方法であって、
ユーザ機器（ＵＥ）で、第１の無線アクセス技術（ＲＡＴ）から第２のＲＡＴに、前記ＵＥでの第１の通信サービスの移転をトリガするモビリティイベントを検出すること、ここにおいて、前記ＵＥは、前記第１および第２のＲＡＴと同時通信するために構成される、と、
前記ＵＥが、前記移転に関連する前記第１のＲＡＴの第２の基地局からモビリティ移転情報を受信すること、ここにおいて、前記モビリティ移転情報は、複数の近隣する第２のＲＡＴ基地局の測定値のための情報を含む、と、
前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定することと、
前記ＵＥが、前記第１の基地局の選択のための再選択基準の評価を修正することと
を備え、前記修正することは、前記第１の基地局のキャッシュされた測定情報に少なくとも部分的に基づいて前記再選択基準を評価することを備える、
方法。
［Ｃ２］
前記モビリティ移転情報は、前記第２のＲＡＴにおける通信のために構成されるセルの近隣リストを備える、
［Ｃ１］に記載の方法。
［Ｃ３］
前記キャッシュされた測定情報は、前記第１の基地局に関連する信号強度インジケータを含む、
［Ｃ２］に記載の方法。
［Ｃ４］
前記修正することは、前記第１の基地局が前記近隣リスト中に含まれると決定されたときに実行される、
［Ｃ２］に記載の方法。
［Ｃ５］
前記第１の基地局が前記セルの近隣リスト中に存在し、前記再選択基準が前記キャッシュされた測定情報によって満たされるとき、前記第１の通信サービスのための前記第１の基地局に再選択すること、
前記ＵＥが、前記第１の基地局が前記セルの近隣リスト中に含まれないとき、セル再選択を実行しないと決定すること
のうちの１つをさらに備える、［Ｃ２］に記載の方法。
［Ｃ６］
ワイヤレス通信のために構成される装置であって、
ユーザ機器（ＵＥ）で、第１の無線アクセス技術（ＲＡＴ）から第２のＲＡＴに前記ＵＥでの第１の通信サービスの移転をトリガするモビリティイベントを検出するための手段、ここにおいて、前記ＵＥは、前記第１および第２のＲＡＴと同時通信するために構成される、と、
前記ＵＥが、前記移転に関連する前記第１のＲＡＴの第２の基地局からモビリティ移転情報を受信するための手段、ここにおいて、前記モビリティ移転情報は、複数の近隣する第２のＲＡＴ基地局の測定値のための情報を含む、と、
前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定するための手段と、
前記ＵＥが、前記第１の基地局の選択のための再選択基準の評価を修正するための手段と
を備え、前記修正するための手段は、前記第１の基地局のキャッシュされた測定情報に少なくとも部分的に基づいて前記再選択基準を評価するための手段を備える、
装置。
［Ｃ７］
前記モビリティ移転情報は、前記第２のＲＡＴにおける通信のために構成されるセルの近隣リストを備える、
［Ｃ６］に記載の装置。
［Ｃ８］
前記キャッシュされた測定情報は、前記第１の基地局に関連する信号強度インジケータを含む、
［Ｃ７］に記載の装置。
［Ｃ９］
前記修正するための手段は、前記第１の基地局が前記近隣リスト中に含まれると決定されたときに実行される、
［Ｃ７］に記載の装置。
［Ｃ１０］
前記第１の基地局が前記セルの近隣リスト中に存在し、前記再選択基準が前記キャッシュされた測定情報によって満たされるとき、前記第１の通信サービスのための前記第１の基地局に再選択するための手段、
前記ＵＥが、前記第１の基地局が前記セルの近隣リスト中に含まれないとき、セル再選択を実行しないと決定するための手段
のうちの１つをさらに備える、［Ｃ７］に記載の装置。
［Ｃ１１］
ワイヤレスネットワークにおけるワイヤレス通信のためのコンピュータプログラム製品であって、
その上に記憶されたプログラムコードを有する非一時的コンピュータ可読媒体を備え、前記プログラムコードは、
コンピュータに、ユーザ機器（ＵＥ）で、第１の無線アクセス技術（ＲＡＴ）から第２のＲＡＴに前記ＵＥでの第１の通信サービスの移転をトリガするモビリティイベントを検出させるためのプログラムコード、ここにおいて、前記ＵＥは、前記第１および第２のＲＡＴと同時通信するために構成される、と、
前記コンピュータに、前記ＵＥが、前記移転に関連する前記第１のＲＡＴの第２の基地局からモビリティ移転情報を受信させるためのプログラムコード、ここにおいて、前記モビリティ移転情報は、複数の近隣する第２のＲＡＴ基地局の測定値のための情報を含む、と、
前記コンピュータに、前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定させるためのプログラムコードと、
前記コンピュータに、前記ＵＥが、前記第１の基地局の選択のための再選択基準の評価を修正させるためのコードと
を備え、前記コンピュータに修正させるための前記プログラムコードは、前記コンピュータに、前記第１の基地局のキャッシュされた測定情報に少なくとも部分的に基づいて前記再選択基準を評価させるためのプログラムコードを備える、
コンピュータプログラム製品。
［Ｃ１２］
前記モビリティ移転情報は、前記第２のＲＡＴにおける通信のために構成されるセルの近隣リストを備える、
［Ｃ１１］に記載のコンピュータプログラム製品。
［Ｃ１３］
前記キャッシュされた測定情報は、前記第１の基地局に関連する信号強度インジケータを含む、
［Ｃ１２］に記載のコンピュータプログラム製品。
［Ｃ１４］
前記コンピュータに修正させるための前記プログラムコードは、前記コンピュータに、前記第１の基地局が前記近隣リスト中に含まれると決定されたときに実行させる、
［Ｃ１２］に記載のコンピュータプログラム製品。
［Ｃ１５］
前記コンピュータに、前記第１の基地局が前記セルの近隣リスト中に存在し、前記再選択基準が前記キャッシュされた測定情報によって満たされるとき、前記第１の通信サービスのための前記第１の基地局に再選択させるためのプログラムコード、
前記コンピュータに、前記ＵＥが、前記第１の基地局が前記セルの近隣リスト中に含まれないとき、セル再選択を実行しないと決定させるためのプログラムコード
のうちの１つをさらに備える、［Ｃ１２］に記載のコンピュータプログラム製品。
［Ｃ１６］
ワイヤレス通信のために構成される装置であって、
少なくとも１つのプロセッサと、
前記少なくとも１つのプロセッサに結合されるメモリと
を備え、前記少なくとも１つのプロセッサは、
ユーザ機器（ＵＥ）で、第１の無線アクセス技術（ＲＡＴ）から第２のＲＡＴに前記ＵＥでの第１の通信サービスの移転をトリガするモビリティイベントを検出すること、ここにおいて、前記ＵＥは、前記第１および第２のＲＡＴと同時通信するために構成される、と、
前記ＵＥが、前記移転に関連する前記第１のＲＡＴの第２の基地局からモビリティ移転情報を受信すること、ここにおいて、前記モビリティ移転情報は、複数の近隣する第２のＲＡＴ基地局の測定値のための情報を含む、と、
前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定することと、
前記ＵＥが、前記第１の基地局の選択のための再選択基準の評価を修正することと
を行うように構成され、前記修正することを行う前記少なくとも１つのプロセッサの構成は、前記第１の基地局のキャッシュされた測定情報に少なくとも部分的に基づいて前記再選択基準を評価することを行う構成を備える、
装置。
［Ｃ１７］
前記モビリティ移転情報は、前記第２のＲＡＴにおける通信のために構成されるセルの近隣リストを備える、
［Ｃ１６］に記載の装置。
［Ｃ１８］
前記キャッシュされた測定情報は、前記第１の基地局に関連する信号強度インジケータを含む、
［Ｃ１７］に記載の装置。
［Ｃ１９］
修正する前記少なくとも１つのプロセッサの前記構成は、前記第１の基地局が前記近隣リスト中に含まれると決定されたときに実行される、
［Ｃ１７］に記載の装置。
［Ｃ２０］
前記第１の基地局が前記セルの近隣リスト中に存在し、前記再選択基準が前記キャッシュされた測定情報によって満たされるとき、第１の通信サービスのための第１の基地局に再選択する前記少なくとも１つのプロセッサの構成、
前記ＵＥが、前記第１の基地局が前記セルの近隣リスト中に含まれないとき、セル再選択を実行しないと決定する前記少なくとも１つのプロセッサの構成
のうちの１つをさらに備える、［Ｃ１７］に記載の装置。
【外国語明細書】
2019193276000001.pdf